(57)【要約】【課題】従来の携帯端末は、漢字入力時に時刻や日付を入力するには、入力モードの切替が煩わしく入力に時間がかかるという問題点があり、本発明は、時刻や日付の入力時に、漢字入力モードのまま容易に正確な現在時刻や日付を入力することができ、操作性及び利便性を向上させることができる携帯端末を提供する。【解決手段】漢字入力モードが設定されている場合に、特定文字変換テーブル４２に設定されている特定文字列が入力されて変換操作が為されると、制御部２が、特定文字変換テーブル４２に従って、当該特定文字列に対応する時刻又は日付のデータを時計部３から取得し、対応する変換フォーマットで変換して、変換された文字列を変換候補として一覧表示する携帯端末である。【選択図】        図１
2004272502.tif 000002
【特許請求の範囲】
【請求項１】
複数の文字入力モードを備え、現在日時を計時する携帯端末であって、
漢字入力モードにおいて、入力された文字列が予め登録されている特定の文字列であり、前記特定の文字列について変換操作が為された場合に、前記計時している現在日時に基づいて、前記特定の文字列に対応して予め記憶されている特定の形式で現在時刻又は現在日付を表した文字列を、前記特定の文字列の変換候補として一覧表示することを特徴とする携帯端末。
【請求項２】
一覧表示された特定の文字列の変換候補の中から、特定の形式で現在時刻又は現在日付を表した文字列が選択確定された場合に、文字入力モードを前記選択確定された特定の形式に応じた数字入力モードに切り替え、予め設定された解除の操作が為された場合に、前記文字入力モードを漢字入力モードに切り替えることを特徴とする請求項１記載の携帯端末。
【発明の詳細な説明】
【０００１】
【発明の属する技術分野】
本発明は、文字入力可能な携帯電話機やＰＨＳ端末等の携帯端末に係り、特に文字入力時に現在の日付や時刻を文字入力モードを切り替えることなく容易に入力できる携帯端末に関する。
【０００２】
【従来の技術】
近年、携帯端末を用いたコミュニケーションとしては、通話だけでなくメールによるものが盛んとなっている。また、携帯端末には、スケジュール機能やメモ帳機能等の文字入力を伴う機能が多く設けられている。
【０００３】
従来の携帯端末では、種々の文字を入力可能とするよう複数の文字入力モードを備えている。例えば、漢字、カタカナ、ひらがな、英字、数字、半角英字、半角数字等の入力モードがある。そして、これらの文字入力モードは指定されたキー（例えば「モード切替キー」）を押下することにより順次切り替わったり、モード変換キーを押下して文字入力モードの一覧を表示してからカーソルで選択されるようになっている。
【０００４】
従来の携帯端末では、通常、日本語入力を想定しているため、メール作成等の文字入力機能に移行すると、まず漢字入力モードが設定されるようになっている。
また、一般的に、メール文作成時やメモ帳、スケジュール登録では、時刻や日付を入力する機会が多い。
【０００５】
そのため、従来の携帯端末では、メール文等で時刻や日付を入力するには、まず漢字入力モードから全角数字入力や半角数字入力に切り替えた後、時計やカレンダーで日時を確認しながら、１文字ずつ数字を入力するようになっていた。
また、時刻を「１２：３４」のように入力するためには、数字入力と記号入力の入力モードを切り替えながら５文字入力し、入力終了後は再び漢字入力モードに戻す、という操作が必要となる。
日付の場合も同様に、「１０／１５」のように入力するためには、入力モードを切り替えながら５文字入力しなければならないことになる。
【０００６】
尚、従来の携帯端末における文字入力に関する技術としては、複数の相手先へ少しずつ異なるメッセージを効率的に送出できる電話機（特許文献１参照）や、数字入力以外の入力モードのまま数字を入力でき文字列の入力操作を簡易にできる携帯電話機（特許文献２参照）がある。
【０００７】
【特許文献１】
特開２０００−２３６３９８号公報
【特許文献１】
特開２００２−３００２６１号公報
【０００８】
【発明が解決しようとする課題】
しかしながら、従来の携帯端末では、メール文作成時等の漢字入力時に時刻や日付を入力する際には、入力モードを何度も切り替えなければならないため、入力モードの切替が煩わしく、また、時計やカレンダーを参照しなければならず、入力に時間がかかるという問題点があった。
【０００９】
本発明は上記実情に鑑みて為されたもので、漢字入力モードのまま容易に正確な現在時刻や日付を入力することができ、操作性及び利便性を向上させることができる携帯端末を提供することを目的とする。
【００１０】
【課題を解決するための手段】
上記従来例の問題点を解決するための本発明は、複数の文字入力モードを備え、現在日時を計時する携帯端末であって、漢字入力モードにおいて、入力された文字列が予め登録されている特定の文字列であり、当該特定の文字列について変換操作が為された場合に、計時している現在日時に基づいて、特定の文字列に対応して予め記憶されている特定の形式で現在時刻又は現在日付を表した文字列を、当該特定の文字列の変換候補として一覧表示する携帯端末としており、特定の文字列として、時刻や日付を表す言葉を登録し、それに対応して時刻や日付の種々の表記形式を記憶しておけば、漢字入力モードのまま特定の文字列を入力して変換操作を行った場合に、現在の時刻又は日付を種々の表記形式で表した変換候補が一覧表示されるので、ユーザは一覧表示された時刻や日付の変換候補の中から所望の形式の変換候補を選択することにより、数字入力モードに切り替えることなく正確な時刻や日付を容易に入力でき、操作性及び利便性を向上させることができる。
【００１１】
また、本発明は、上記携帯端末において、一覧表示された特定の文字列の変換候補の中から、特定の形式で現在時刻又は現在日付を表した文字列が選択確定された場合に、文字入力モードを選択確定された特定の形式に応じた数字入力モードに切り替え、予め設定された解除の操作が為された場合に、文字入力モードを漢字入力モードに切り替えるようにしており、一旦簡単な操作で現在時刻又は日付を入力した後で、数字部分だけを入力モードの切り替え操作無しで編集することができ、更に簡単な操作で漢字入力モードに戻して、和文の入力をスムーズに行うことができ、操作性及び利便性を一層向上させることができる。
【００１２】
【発明の実施の形態】
本発明の実施の形態について図面を参照しながら説明する。
本発明に係る携帯端末は、記憶部に、漢字入力モードにおける特定の入力文字列について、予め時刻や日付を表す特定の変換フォーマットを用意しておき、漢字入力モードで特定の文字列が入力され、変換キーが押下された場合に、制御部が、装置内部で保持している時刻や日付のデータを読み取って、入力された特定の文字列に対応して予め設定された特定のフォーマットで変換し、通常の漢字入力モードにおける変換候補に追加して表示するものであり、漢字入力モードのまま装置で管理している現在時刻や日付を用いて時刻や日付を好みの形式で入力でき、操作性を及び利便性を向上させることができるものである。
【００１３】
例えば、特定文字列として「じこく」を記憶しておき、「じこく」に対応する変換フォーマットとして、通常の時刻表示に用いられるフォーマット（表記スタイル、例えば１２：３４や１２：３４）を複数用意しておけば、制御部が、内部の時刻データを読み取って変換フォーマットに従って変換するため、ユーザは、漢字入力モードにおいて「じこく」と入力することにより、一般的なフォーマットで表示された複数の現在時刻の中から任意のフォーマットを選択することができ、入力モードを変更せず、正確な時刻を容易に入力できるものである。
【００１４】
本発明の実施の形態に係る携帯端末の構成について図１を用いて説明する。図１は、本発明の実施の形態に係る携帯端末の構成ブロック図である。
本実施の形態の携帯端末（本装置）は、図１に示すように、通信回路部１と、制御部２と、時計部３と、記憶部４と、入力部５と、表示部６とから構成されている。基本的な構成は従来の携帯端末と同様であるが、記憶部４に記憶されているデータと、制御部２の処理が従来とは一部異なっている。
【００１５】
各構成部分について具体的に説明すると、通信回路部１は、音声通話又はデータ通信に必要な一般的な機能を備えた回路部であり、具体的には、音声の入出力手段と、Ａ／Ｄ変換手段と、Ｄ／Ａ変換手段と、符復号化手段と、変調手段と、送受信手段とを備えたものである。
【００１６】
時計部３は、現在日時を管理するものであり、タイマを備えて計時し、現在日時について、西暦年、和暦年（年号表示の年）、月、日、時、分、曜日のデータを保持しているものである。
【００１７】
記憶部４は、各種データを記憶するものであり、従来と同様に、設定されている入力モードに従って入力キーに対応する文字列を変換する辞書である変換テーブル４１と、本装置の特徴部分である特定文字列変換テーブル４２とを備えているものである。特定文字列変換テーブル４２については後で説明する。
【００１８】
入力部５は、ユーザが文字入力モード切り替えや文字入力等の操作を行うものであり、数字キーや変換キー、文字入力モードの切替キー等が設けられている。
また、表示部６は、制御部２からの指示に従って表示を行うものであり、文字入力時には、入力部５からの入力文字列を表示し、変換キーが押下された場合には変換候補を表示するようになっている。
【００１９】
制御部２は、文字入力及び変換の処理や、電話帳登録の処理や表示処理等、装置全体の制御を行うものであり、本装置の特徴として、漢字入力モードにおいて、予め設定された特定の文字列が入力された場合には、時刻や日付を特定のフォーマットで変換した文字列を変換候補として表示するものである。また、制御部２４には現在設定されている文字入力モードが保持されている。
【００２０】
通常、文字入力の際に入力文字列を変換する際には、制御部２は、設定されている文字入力モードと記憶部４に記憶されている変換テーブル４１とに従って変換候補を表示するが、本装置の特徴として、制御部２は、漢字入力モードで予め設定された特定の文字列の変換の際には、特定文字列変換テーブル４２に従って時刻又は日付のデータを取得して、そのデータを特定のフォーマットで変換した文字列を変換候補に加えるようになっている。制御部２の動作については後で詳細に説明する。
【００２１】
ここで、記憶部４に記憶されている特定文字列変換テーブル４２について図２を用いて説明する。図２は、特定文字列変換テーブル４２の模式説明図である。
図２に示すように、特定文字列変換テーブルは、漢字入力モードにおいて特別な変換が必要な予め登録された文字列（特定文字列）について、当該文字列に対して変換キーの押下等の変換操作が為された場合に時計部３から取得すべきデータ（取得データ）と、取得したデータを変換する表記スタイル（変換フォーマット）とを対応付けて記憶しているものである。
【００２２】
特に、本装置においては、特定文字列変換テーブル４２に登録されている特定文字列が、時刻や日付に関する言葉であり、また、変換フォーマットが、時刻や日付の種々の表記形式である点が特徴となっている。
【００２３】
具体的に説明すると、図２の例では、例えば、特定文字列「へいせい」が入力され、変換操作が為された場合には、時計部３から「和暦年・月・日」のデータを取得して、「平成○年△月×日」の形式に変換するよう規定されているものである。
【００２４】
特定フォーマットでの変換は、予め各変換フォーマットに対応して固定データ（例えば「平成    年    月    日」等）を用意しておき、制御部２が、時計部３から読み取ったデータに基づいてフォーマットで規定された全角又は半角の数字を、選択された変換フォーマットに対応する固定データの所定の位置に埋め込んで変換候補を作成するものである。
【００２５】
次に、図２の特定文字変換テーブル中に示された「時刻フォーマット」と、「日付フォーマット」について図３及び図４を用いて説明する。図３は、「時刻フォーマット」の例を示す説明図であり、図４は、「日付フォーマット」の例を示す説明図である。
図３に示すように、時刻フォーマットは、漢字入力モードで特定文字列「じこく」が入力され、変換操作が為された場合に、時計部３から取得した「時・分」のデータを変換する形式を規定するものであり、全角、半角、２４時間表示の全角・半角等、一般的に時刻の表記で用いられる１０種類の形式を備えている。
【００２６】
すなわち、特定文字列「じこく」に対して変換操作が為された場合には、制御部２は、時計部３から取得した「時・分」のデータに基づいて、「時刻フォーマット」で規定されている１０種類の形式で変換候補を生成して、漢字入力モードにおける「じこく」の通常の変換候補である「時刻」「自国」「じこく」と共に一覧表示するようになっている。従って、「じこく」について変換操作が為された場合には、１３種類の変換候補が一覧表示されることになる。尚、時刻変換フォーマットはこれに限るものではなく、ユーザが任意に登録可能としてもよい。
【００２７】
また、図４に示す日付フォーマットは、特定文字列「ひづけ」が入力されて変換操作が為された場合に、時計部３から取得した「年（西暦和暦）・月・日」のデータを変換する形式を規定するものであり、ここでは５種類の形式が記憶されている。日付フォーマットについても、例えば、英語表記（１５  Ｊａｎｕａｒｙ  ２００２）等を加えてもよいし、時計部３から「曜日」のデータを取得して、曜日も共に表示するようにしてもよい。また、ユーザが任意にフォーマットを登録可能としてもよい。
【００２８】
次に、本装置の制御部２の処理について図５を用いて説明する。図５は、制御部２の文字入力モードにおける処理を示すフローチャート図である。
図５に示すように、漢字入力モードにおいて文字が入力されると（１００）、制御部２は、入力された文字列を保持しておき、変換キーが押下されたかどうかを判断する（１０２）。変換キーが押下されない場合には、処理１００に移行して文字入力を待ち受ける。
【００２９】
処理１０２において変換キーが押下された場合には、制御部２は、通常の変換として、入力された文字列に対応する変換候補を変換テーブル４１から選択して保持しておく（１０３）。
【００３０】
更に、制御部２は、入力された文字列が特定文字変換テーブル４２に記憶されている特定文字列であるかどうかを判断し（１０４）、特定文字列でなければ、処理１１０に移行して、通常通り、保持している変換候補を一覧表示する（１１０）。
【００３１】
また、処理１０４において、変換する文字列が特定文字列であった場合には、制御部２は、特定文字変換テーブル４２において当該特定文字列に対応して記憶されている取得データに従って、時計部３から時刻又は日付のデータを取得し（１０６）、取得したデータを特定文字変換テーブル４２で規定されている特定フォーマットに従って変換し、変換された文字列を新たな変換候補として、既に保持している変換候補に追加して保持する（１０８）。
【００３２】
そして、制御部２は、保持している変換候補を一覧表示し（１１０）、表示された変換候補の中から選択された変換候補が確定されたかどうかを判断し（１１２）、確定された場合には処理１００に移行して新たな文字列の入力を待ち受ける。
このようにして、本システムの制御部２の文字入力モードにおける処理が行われる。
【００３３】
本発明の実施の形態に係る携帯端末によれば、漢字入力モードが設定されている場合に、特定文字変換テーブル４２において設定されている特定文字列が入力されて変換操作が為されると、制御部２が、特定文字変換テーブル４２に従って、特定文字列に対応する時刻又は日付のデータを時計部３から取得し、対応する変換フォーマットで変換して、変換された文字列を通常の漢字入力モードでの変換候補に追加して一覧表示するようにしているので、最も使用頻度が高い漢字入力モードで文字入力を行っていても、時刻や日付を入力したい場合に、入力モードを変更することなく日本語で「じこく」「ひづけ」等の特定文字列を入力して通常通りに変換操作を行えば、一般的な時刻表示や日付表示が変換候補として表示されて所望の候補を容易に選択することができ、文字入力時の操作性を大幅に向上させることができる効果がある。
【００３４】
また、本装置によれば、特定文字列の変換操作が為された場合に、時刻や日付を内部で管理しているデータに基づいて変換するようにしているので、時計やカレンダーを参照しなくても正確な日時を入力することができる効果がある。
【００３５】
また、ここでは、特定文字変換テーブル４２に「じこく」と「ひづけ」とを分けて登録しており、日時を入力するには「ひづけ」を入力して変換操作を行った後、改めて「じこく」を入力して変換操作を行うことが必要であるが、特定文字変換テーブル４２に特定文字列として「にちじ」を登録しておき、それに対応して日時を表記する種々の変換フォーマットを記憶しておくことも可能であり、このようにすれば、「にちじ」が入力されて変換操作が為されると、日付と時刻とを含む日時のデータを変換候補として表示することができ、ユーザは、漢字入力モードのまま３文字入力すれば、日時を表す文字列が変換候補として表示され、その中から所望の変換候補を選択確定することができ、一層便利である。日時の変換フォーマットとしては、例えば、「２００２年１２月１７日  １０：００ＡＭ」等がある。
【００３６】
また、上述した携帯端末では、制御部２に設定されている文字入力モードを漢字入力モードに設定したままで処理を行うようにしているが、特定文字変換テーブル４２に登録されている特定の変換フォーマットに従った変換候補が選択されて確定された場合には、入力モードを選択されたフォーマットに応じて全角数字入力モード又は半角数字入力モードに変更し、その後、予め設定された特定の解除操作が為された場合に漢字入力モードに戻すようにしてもよい。
【００３７】
これは、一般に、時刻や日付の入力時には現在日時のみならず過去や未来の日時を入力したい場合も多く、このような場合には、一旦現在日時を上述した簡単な操作で入力した後で数字部分を編集するものであり、この数字部分の編集作業を容易にするものである。
【００３８】
入力モードの切り替え機能を備えた本装置の動作についてユーザの操作を交えて具体的に説明する。
例えば、２００２年１２月１０日に、１週間後の１２月１７日の日付を入力したい場合、ユーザはまず、「ひづけ」と入力する。すると、本装置の制御部２は、特定文字列の変換機能を用いて現在日時の変換候補を複数表示する。ユーザは、一覧表示された変換候補の中から所望の候補を選択し、確定キーを押下し、変換候補を確定する。ここでは図４に示した「年付き」のフォーマットで表示された「２００２／１２／１０」が選択されて確定されたとする。
【００３９】
すると、制御部２は、入力モードを漢字入力モードから「２００２／１２／１０」の入力モードである半角数字入力モードに切り替える。そして、ユーザは、半角数字入力モードで、「７」を入力して、所望の日付「２００２／１２／１７」を得るものである。尚、変換候補の中から確定されたものが全角数字の変換候補であった場合には、制御部２は入力モードを全角数字入力モードに切り替えるものである。
そして、制御部２は、予め設定された特定の解除操作が為された場合に、半角数字入力モードから元の漢字入力モードに設定を切り替える。特定の操作としては、例えばモード切替キー１回押下する、といった操作が考えられる。
【００４０】
本装置によれば、制御部２が、特定文字列の変換候補が選択されて確定された場合に、入力モードを当該変換候補に合わせた数字入力モードに切り替え、更に、特定の操作が為された場合に元の漢字入力モードに戻すようにしているので、簡単な操作で選択入力した現在日時を元に、モード切替操作を行うことなく数字入力を行って編集することができ、更にその後簡単な操作で元の漢字入力モードに戻すことができるため、日付や時刻に続いてスムーズな日本語入力を行うことができ、一層使い勝手を向上させることができる効果がある。
【００４１】
【発明の効果】
本発明によれば、複数の文字入力モードを備え、現在日時を計時する携帯端末であって、漢字入力モードにおいて、入力された文字列が予め登録されている特定の文字列であり、当該特定の文字列について変換操作が為された場合に、計時している現在日時に基づいて、特定の文字列に対応して予め記憶されている特定の形式で現在時刻又は現在日付を表した文字列を、当該特定の文字列の変換候補として一覧表示する携帯端末としているので、特定の文字列として、時刻や日付を表す言葉を登録し、それに対応して時刻や日付の種々の表記形式を記憶しておけば、漢字入力モードのまま特定の文字列を入力して変換操作を行った場合に、現在の時刻又は日付を種々の表記形式で表した変換候補が一覧表示されるので、ユーザは一覧表示された時刻や日付の変換候補の中から所望の形式の変換候補を選択することにより、数字入力モードに切り替えることなく正確な時刻や日付を容易に入力でき、操作性及び利便性を向上させることができる効果がある。
【００４２】
また、本発明は、上記携帯端末において、一覧表示された特定の文字列の変換候補の中から、特定の形式で現在時刻又は現在日付を表した文字列が選択確定された場合に、文字入力モードを選択確定された特定の形式に応じた数字入力モードに切り替え、予め設定された解除の操作が為された場合に、文字入力モードを漢字入力モードに切り替えるようにしているので、一旦簡単な操作で現在時刻又は日付を入力した後で、数字部分だけを入力モードの切り替え操作無しで編集することができ、更に簡単な操作で漢字入力モードに戻して、和文の入力をスムーズに行うことができ、操作性及び利便性を一層向上させることができる効果がある。
【図面の簡単な説明】
【図１】本発明の実施の形態に係る携帯端末の構成ブロック図である。
【図２】特定文字列変換テーブル４２の模式説明図である。
【図３】「時刻フォーマット」の例を示す説明図である。
【図４】「日付フォーマット」の例を示す説明図である。
【図５】制御部２の文字入力モードにおける処理を示すフローチャート図である。
【符号の説明】
１…通話回路部、  ２…制御部、  ３…時計部、  ４…記憶部、  ５…入力部、  ６…表示部、  ４１…変換テーブル、  ４２…特定文字列変換テーブル
【図１】
2004272502.tif 000003
【図２】
2004272502.tif 000004
【図３】
2004272502.tif 000005
【図４】
2004272502.tif 000006
【図５】
2004272502.tif 000007